(57)【要約】【課題】タイトルとユーザとの関係を管理し、それを検索できるようにすることで膨大な数のタイトルを管理しやすくし、使い勝手を向上させたディスク記録再生装置を提供することである。【解決手段】ＨＤＤ一体型光ディスク装置（ディスク記録再生装置）１０は、操作に応じてユーザ名を登録し、操作に応じてユーザ名に対応させてタイトル毎に要又は不要を示すコメントを付け、操作に応じて登録されているユーザ名に対して検索し、タイトル毎に前記コメントの内容を所定の表示形式で出力する構成とする。【選択図】図１
2008097711.tif 000002
【特許請求の範囲】
【請求項１】
ディスクにタイトル毎に録画しそれを再生するＨＤＤ記録再生部及び／又はＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、ＲＯＭやＲＡＭからなるメモリと、各部を制御する制御部とを備えたディスク記録再生装置において、
前記制御部は、
操作に応じてユーザ名を前記メモリに登録し、
操作に応じてユーザ名に対応させてタイトル毎に要又は不要を示すコメントを付け、
操作に応じて登録されているユーザ名に対して検索し、要のコメントが付されたタイトル又は不要のコメントが付されたタイトルのどちらか一方のサムネイルとタイトルの番号との一覧を出力し、
記憶しているタイトルのサムネイルとタイトルの番号との一覧を出力するサムネイル機能を有し、該一覧の何れかのタイトルにカーソルが移動させられると、該カーソルが位置するタイトルに付された要又は不要のコメントに応じて、それぞれのコメントを付したユーザ名を区別した形式で出力し、
登録されているユーザ名の全てにおいて不要のコメントが付されたタイトルを消去することを特徴とするディスク記録再生装置。
【請求項２】
ディスクにタイトル毎に録画しそれを再生するディスク記録再生装置において、
制御部は、
操作に応じてユーザ名を登録し、
操作に応じてユーザ名に対応させてタイトル毎に要又は不要を示すコメントを付け、
操作に応じて登録されているユーザ名に対して検索し、タイトル毎に前記コメントの内容を所定の表示形式で出力することを特徴とするディスク記録再生装置。
【請求項３】
前記所定の表示形式とは、要のコメントが付されたタイトル又は不要のコメントが付されたタイトルのどちらか一方の一覧であることを特徴とする請求項２記載のディスク記録再生装置。
【請求項４】
前記所定の表示形式とは、要のコメントが付されたタイトルと不要のコメントが付されたタイトルとを区別した形式の一覧であることを特徴とする請求項２記載のディスク記録再生装置。
【請求項５】
前記区別した形式とは、要のコメントが付されたタイトルの文字色と、不要のコメントが付されたタイトルの文字色を異ならせることであることを特徴とする請求項４記載のディスク記録再生装置。
【請求項６】
記憶しているタイトルのサムネイルとタイトルの番号との一覧を出力するサムネイル機能を有し、該一覧の何れかのタイトルにカーソルが移動させられると、該カーソルが位置するタイトルに付された要又は不要のコメントに応じて、それぞれのコメントを付したユーザ名を区別した形式で出力することを特徴とする請求項２〜５の何れかに記載のディスク記録再生装置。
【請求項７】
前記区別した形式とは、要のコメントを付したユーザ名の文字色と、不要のコメントを付したユーザ名の文字色を異ならせることであることを特徴とする請求項６記載のディスク記録再生装置。
【請求項８】
前記各タイトルは、サムネイルとタイトルの番号とで表されることを特徴とする請求項２〜７の何れかに記載のディスク記録再生装置。
【請求項９】
登録されているユーザ名の全てにおいて不要のコメントが付されたタイトルを消去することを特徴とする請求項２〜８の何れかに記載のディスク記録再生装置。
【発明の詳細な説明】
【技術分野】
【０００１】
本発明は、ディスクにタイトル毎に録画しそれを再生するディスク記録再生装置に関する。
【背景技術】
【０００２】
近年、ＤＶＤ装置やＨＤＤ装置などのディスク記録再生装置が普及しており、その記憶容量は増える一方である。そのため、家族で同じ装置を使用する場合、各ユーザが容量を気にせず次々と録画してしまい、タイトル数が多くなる傾向にある。そうなるとタイトルの管理が煩雑になる。例えば、あるタイトルを消去してよいかどうか判断する際、誰が視聴したいのかそれとも視聴済みで不要なのかを各ユーザに確認しなければならず、使い勝手が悪い。
【０００３】
そこで、装置に複数のユーザ名を登録し、タイトルを管理する技術が提案されている（特許文献１〜３参照）。
【特許文献１】特開２００５−７２６８８号公報
【特許文献２】特開２００６−１７４２９１号公報
【特許文献３】特開２００４−２０１１５１号公報
【発明の開示】
【発明が解決しようとする課題】
【０００４】
しかしながら、特許文献１〜３には、タイトルとユーザとの関係を用いて様々な検索を行うことは開示されていない。例えば、あるユーザはあるタイトルを一度視聴したがもう一度見たいから保存しておきたいと思っている場合、それを他のユーザに伝えることができれば他のユーザにそのタイトルを消去されるおそれがなくなり便利である。また、あるタイトルを視聴していないが視聴不要であると思っている場合、それを他のユーザに伝えることができれば、他のユーザがそのタイトルを消去することもできる。このように、タイトルにユーザの意志が反映されれば、様々な角度から検索することで各ユーザの意志を他のユーザに伝えることができ、膨大な数のタイトルを管理しやすくなる。
【０００５】
本発明は、タイトルとユーザとの関係を管理し、それを検索できるようにすることで膨大な数のタイトルを管理しやすくし、使い勝手を向上させたディスク記録再生装置を提供することを目的とする。
【課題を解決するための手段】
【０００６】
上記目的を達成するために本発明は、ディスクにタイトル毎に録画しそれを再生するディスク記録再生装置において、
制御部は、
操作に応じてユーザ名を登録し、
操作に応じてユーザ名に対応させてタイトル毎に要又は不要を示すコメントを付け、
操作に応じて登録されているユーザ名に対して検索し、タイトル毎に前記コメントの内容を所定の表示形式で出力することを特徴とする。
【０００７】
上記のディスク記録再生装置において、前記所定の表示形式とは、例えば、要のコメントが付されたタイトル又は不要のコメントが付されたタイトルのどちらか一方の一覧である。
【０００８】
また上記のディスク記録再生装置において、前記所定の表示形式とは、例えば、要のコメントが付されたタイトルと不要のコメントが付されたタイトルとを区別した形式の一覧である。
【０００９】
また上記のディスク記録再生装置において、前記区別した形式とは、例えば、要のコメントが付されたタイトルの文字色と、不要のコメントが付されたタイトルの文字色を異ならせることである。
【００１０】
また上記のディスク記録再生装置において、記憶しているタイトルのサムネイルとタイトルの番号との一覧を出力するサムネイル機能を有し、該一覧の何れかのタイトルにカーソルが移動させられると、該カーソルが位置するタイトルに付された要又は不要のコメントに応じて、それぞれのコメントを付したユーザ名を区別した形式で出力することを特徴とする。
【００１１】
また上記のディスク記録再生装置において、前記区別した形式とは、例えば、要のコメントを付したユーザ名の文字色と、不要のコメントを付したユーザ名の文字色を異ならせることである。
【００１２】
また上記のディスク記録再生装置において、前記各タイトルは、例えば、サムネイルとタイトルの番号とで表される。
【００１３】
また上記のディスク記録再生装置において、登録されているユーザ名の全てにおいて不要のコメントが付されたタイトルを消去することを特徴とする。
【００１４】
本発明を具体化すると、ディスクにタイトル毎に録画しそれを再生するＨＤＤ記録再生部及び／又はＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、ＲＯＭやＲＡＭからなるメモリと、各部を制御する制御部とを備えたディスク記録再生装置において、
前記制御部は、
操作に応じてユーザ名を前記メモリに登録し、
操作に応じてユーザ名に対応させてタイトル毎に要又は不要を示すコメントを付け、
操作に応じて登録されているユーザ名に対して検索し、要のコメントが付されたタイトル又は不要のコメントが付されたタイトルのどちらか一方のサムネイルとタイトルの番号との一覧を出力し、
記憶しているタイトルのサムネイルとタイトルの番号との一覧を出力するサムネイル機能を有し、該一覧の何れかのタイトルにカーソルが移動させられると、該カーソルが位置するタイトルに付された要又は不要のコメントに応じて、それぞれのコメントを付したユーザ名を区別した形式で出力し、
登録されているユーザ名の全てにおいて不要のコメントが付されたタイトルを消去する構成となる。
【発明の効果】
【００１５】
本発明によれば、ディスク記録再生装置は、タイトルとユーザとの関係を管理し、それを検索できるようにすることで膨大な数のタイトルを管理しやすくし、使い勝手を向上させている。
【発明を実施するための最良の形態】
【００１６】
以下、ディスク記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００１７】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１８】
また、制御部２６は、ユーザの操作に基づいてユーザ名毎にタイトルにコメントを付ける制御も行う。ユーザ名とタイトル名とコメント内容とはメモリ２３に記憶される。そして、制御部２６は、ユーザの操作に基づいてユーザ名とタイトルとコメントとを様々な方法で検索し、検索結果を表示装置１１へ表示させる。以下、検索の方法について説明する。
【００１９】
まず、リモコン１３やＨＤＤ一体型光ディスク装置１０の操作パネル（不図示）がユーザにより操作され、サムネイル画面が呼び出されると、図２のようなサムネイル画面３０を表示装置１１に表示させる。サムネイル画面３０には、タイトルリストとしてタイトル毎にその番号とそのサムネイルが表示され、下段に現在カーソルが位置しているタイトルに関するユーザ名が白色文字又は灰色文字で表示されている。このユーザ名の意味については後述する。図２ではタイトル１の番号色を反転させることでタイトル１にカーソルがある状態を示している。
【００２０】
次に、リモコン１３やＨＤＤ一体型光ディスク装置１０の操作パネル（不図示）がユーザにより操作され、メニュー画面が呼び出されると、図３のようなメニュー画面４０を表示させる。メニュー画面４０には、コメント入力、検索、名前登録の３つの選択肢が選択可能に表示されている。図３ではコメント入力にカーソルがある状態を示している。この状態からユーザによってカーソルが操作され何れかが選択され、決定されると、それぞれの処理に進む。
【００２１】
メニュー画面４０において名前登録が選択された場合は、図４のような名前登録画面５０を表示させる。名前登録は、ＨＤＤ一体型光ディスク装置１０を使うユーザが増える度にユーザ名を登録するために行う。図４では「きよし」という名前が入力された状態を示している。名前の入力はリモコン１３やＨＤＤ一体型光ディスク装置１０の操作パネルから入力される。なお、名前は任意の文字を入力できるようにしてもよいし、Ａ、Ｂ、Ｃなど予め登録されている名前から選択するようにしてもよい。名前の入力が完了し、決定キー（不図示）が押下されると、ユーザ名としてメモリ２３に記憶し、図２又は図３の状態に戻るようにする。
【００２２】
また、メニュー画面４０においてコメント入力が選択された場合は、図５のようなコメント入力画面６０を表示させる。コメント入力画面６０には登録されている全ユーザ名が選択可能に表示されている。図５ではユーザ名「やすし」と「きよし」が表示されており、「やすし」にカーソルがある状態を示している。
【００２３】
この状態からユーザによってカーソルが操作され何れかのユーザ名が選択され、決定されると、次に図６のようなコメント入力画面６１を表示させる。コメント入力画面６１には現在カーソルが位置するタイトルについて要又は不要を示すコメントが選択可能に表示されている。図６ではタイトル１にカーソルがあり、要を示すコメントとして「まだ見ていない」、不要を示すコメントとして「いらない」が表示されており、「まだ見ていない」にカーソルがある状態を示している。この状態からユーザによってカーソルが操作され何れかのタイトルが選択され、それに対応する何れかのコメントが選択され、決定されると、そのユーザ名に対応させてタイトルの番号と選択されたコメントとをメモリ２３に記憶する。その後、図２又は図３の状態に戻るようにする。
【００２４】
これにより、各ユーザは自分のユーザ名を選択し、各タイトルに対してそれぞれ「まだ見ていない」か「いらない」を選択することにより、コメントを入力することができる。例えば、あるユーザはあるタイトルを一度視聴したがもう一度見たいから保存しておきたいと思っている場合、「まだ見ていない」を選択しておくと、他のユーザにそのタイトルを消去されるおそれがなくなり便利である。また、あるタイトルを視聴していないが視聴不要であると思っている場合、「いらない」を選択しておくと、他のユーザがそのタイトルを消去することもできる。
【００２５】
なお、あるタイトルの録画が終了した直後は、そのタイトルについては、全てのユーザのコメントを「まだ見ていない」に自動的に選択されるようにすればよい。そうすることで、常に全てのタイトルにコメントが付加された状態にでき、後述する検索機能を有効にはたらかせることができる。
【００２６】
また、メニュー画面４０において検索が選択された場合は、図７のような検索画面７０を表示させる。検索画面７０には登録されている全ユーザ名が選択可能に表示されている。図７ではユーザ名「やすし」と「きよし」が表示されており、「やすし」にカーソルがある状態を示している。
【００２７】
この状態からユーザによってカーソルが操作され何れかのユーザ名が選択され、決定されると、次に図８のような検索画面７１を表示させる。検索画面７１には選択されたユーザ名に対する要又は不要を示すコメントが選択可能に表示されている。図８では「やすし」が選択され、「まだ見ていない」にカーソルがある状態を示している。
【００２８】
この状態からユーザによってカーソルが操作され何れかのコメントが選択され、決定されると、次に図９のような検索結果画面７２を表示させる。検索結果画面７２には選択されたユーザ名及びコメントに対応したタイトルのサムネイル及びタイトルの番号が一覧として表される。図９では「やすし」が選択され、「まだ見ていない」が選択された場合について示しており、少なくともタイトル１，２，３，６，８，９はまだ見ていないことがわかる。この検索結果画面７２を表示させるために、選択されたユーザ名及びコメントからそれらを満たすタイトルをメモリ２３内で検索し読み出している。
【００２９】
このように、登録されているユーザ名に対して検索し、要のコメントが付されたタイトル又は不要のコメントが付されたタイトルのどちらか一方のサムネイルとタイトルの番号との一覧を表示することにより、そのユーザがどのタイトルを必要とし、どのタイトルを不要としているかがわかる。
【００３０】
なお、メニュー画面４０において検索が選択され、続いて検索画面７０においてユーザ名が選択された場合は、図８、図９に示した画面に代えて図１０のような検索結果画面７３を表示させてもよい。検索結果画面７３には選択されたユーザ名に対応したタイトルのサムネイル及びタイトルの番号が一覧として表されるとともに、要のコメントが付されたタイトルと不要のコメントが付されたタイトルとを区別した形式で表されている。図１０では「やすし」が選択された場合について示しており、「まだ見ていない」のコメントが付されたタイトル１，２，３，６の番号が白色、「いらない」のコメントが付されたタイトル４，５の番号が灰色で表示されている。
【００３１】
このように、登録されているユーザ名に対して検索し、要のコメントが付されたタイトルの文字色と、不要のコメントが付されたタイトルの文字色を異ならせて一覧表示することにより、そのユーザがどのタイトルを必要とし、どのタイトルを不要としているかがわかる。
【００３２】
上記の構成以外でも、操作に応じて登録されているユーザ名に対して検索し、タイトル毎にコメントの内容を所定の表示形式で出力する構成であれば他の構成を採用してもよい。ＨＤＤ一体型光ディスク装置１０は、タイトルとユーザとの関係を管理し、それを検索できるようにすることで膨大な数のタイトルを管理しやすくし、使い勝手を向上させている。
【００３３】
また、上述した図２のサムネイル画面３０の下段のユーザ名は、カーソルが位置しているタイトルに対する各ユーザのコメントの内容によって異なる色で表示されている。図２では「やすし」が白色、「きよし」が灰色であり、これは、タイトル１に対して「やすし」が要のコメントを、「きよし」が不要のコメントを付していることを示している。
【００３４】
このように、サムネイル画面３０でコメントの内容によってユーザ名の文字色を異ならせて表示させることにより、各タイトルに付されている要、不要のコメントを簡潔に知らせることができる。
【００３５】
そして、登録されているユーザ名の全てにおいて不要のコメントが付されたタイトル（画像音声データやサムネイルなどそのタイトルに関する全てのデータ）は消去する。例えば、登録されているユーザ名が「やすし」と「きよし」の２つであり、それぞれのユーザが同じタイトルのコメントを「いらない」とした場合、ＨＤＤ一体型光ディスク装置１０はそのタイトルを自動的に消去する。この構成により、不要なタイトルを管理する煩雑さがなくなるとともに、ディスクの空き容量を増やすことができる。
【００３６】
なお、上記の実施形態において、１画面に表示しきれない場合は、次の画面に続くものとする。
【産業上の利用可能性】
【００３７】
本発明は、ＤＶＤやＨＤＤ等のディスク記録再生装置に利用することができ、また、複数のディスク記録再生部を１つの筐体に組み込んだ複合機、例えばＨＤＤ一体型光ディスク装置等にも利用することができる。
【図面の簡単な説明】
【００３８】
【図１】本発明のＨＤＤ一体型光ディスク装置１０の構成及びその周辺機器を示すブロック図である。
【図２】本発明のサムネイル画面３０の一例を示す図である。
【図３】本発明のメニュー画面４０の一例を示す図である。
【図４】本発明の名前登録画面５０の一例を示す図である。
【図５】本発明のコメント入力画面６０の一例を示す図である。
【図６】本発明のコメント入力画面６１の一例を示す図である。
【図７】本発明の検索画面７０の一例を示す図である。
【図８】本発明の検索画面７１の一例を示す図である。
【図９】本発明の検索結果画面７２の一例を示す図である。
【図１０】本発明の検索結果画面７３の一例を示す図である。
【符号の説明】
【００３９】
１０    ＨＤＤ一体型光ディスク装置（ディスク記録再生装置）
１５    アンテナ
１６    チューナ
１７    画像音声圧縮伸長部
１８    ＨＤＤ記録再生部
１９    ＤＶＤ記録再生部
２０    ＯＳＤ部
２１    画像出力部
２２    音声出力部
２３    メモリ
２６    制御部
【図１】
2008097711.tif 000003
【図２】
2008097711.tif 000004
【図３】
2008097711.tif 000005
【図４】
2008097711.tif 000006
【図５】
2008097711.tif 000007
【図６】
2008097711.tif 000008
【図７】
2008097711.tif 000009
【図８】
2008097711.tif 000010
【図９】
2008097711.tif 000011
【図１０】
2008097711.tif 000012